(57)【要約】【課題】簡単に室内における部屋や窓の大きさ、形状、位置、デザインを任意に変更して建築予定者に体験してもらうことができる。【解決手段】少なくとも床１と壁２とに囲まれた疑似体験空間３と、表面が窓の外観をした複数種類の窓表示用薄板パネル４とを備える。疑似体験空間３の壁２の内面の任意の位置に任意の窓表示用薄板パネル４を着脱手段により着脱自在に取付ける。【選択図】　　　　図１
2004109847.tif 000002
【特許請求の範囲】
【請求項１】
少なくとも床と壁とに囲まれた疑似体験空間と、表面が窓の外観をした複数種類の窓表示用薄板パネルとを備え、疑似体験空間の壁の内面の任意の位置に任意の窓表示用薄板パネルを着脱手段により着脱自在に取付けて成ることを特徴とする住宅内の空間の疑似体験装置。
【請求項２】
表面が扉の外観をした複数種類の扉表示用薄板パネルを備え、疑似体験空間の壁の内面の任意の位置に任意の扉表示用薄板パネルを着脱手段により着脱自在に取付けて成ることを特徴とする請求項１記載の住宅内の空間の疑似体験装置。
【請求項３】
壁の一部に出入り口用開口を設け、この出入り口用開口に開閉自在にドア体を設け、ドア体の室内側の面を壁の内面と同じ外観とし、表面が扉の外観をした複数種類の扉表示用薄板パネルを備え、疑似体験空間の壁の内面の任意の位置又はドア体の内面に任意の扉表示用薄板パネルを着脱手段により着脱自在に取付けて成ることを特徴とする請求項１記載の住宅内の空間の疑似体験装置。
【請求項４】
着脱手段が磁石と磁石による吸着又は磁石と強磁性体による磁着であることを特徴とする請求項１乃至請求項３のいずれかに記載の住宅内の空間の疑似体験装置。
【請求項５】
壁の一部又は全部が移動自在で疑似体験空間の平面形状を可変自在として成ることを特徴とする請求項１乃至請求項４のいずれかに記載の住宅内の空間の疑似体験装置。
【請求項６】
対向する壁間に位置する壁が対向する壁の面方向に対して移動自在であることを特徴とする請求項５記載の住宅内の空間の疑似体験装置。
【請求項７】
移動する壁が他の壁に対して独立して自立できるものであり、該壁の自立装置が壁の外面側に設けてあることを特徴とする請求項５又は請求項６記載の住宅内の空間の疑似体験装置。
【発明の詳細な説明】
【０００１】
【発明の属する技術分野】
本発明は、住宅展示場やあるいは住宅に関する情報を提供する場所に設置して、住宅の室内を好みの室内に表示して住宅建築予定者が模擬的に体験できるようにする住宅内の空間の疑似体験装置に関するものである。
【０００２】
【従来の技術】
従来、住宅建築予定者は住宅を建築する場合、住宅建築会社、設計者に相談し、住宅建築会社、設計者が個々の住宅建築予定者の好みに合った設計をし、これに基づいて住宅建築を行うのであるが、住宅建築予定者は住宅の設計については素人であり、設計図を見ても室内の具体的イメージが得られず、実際に建築された住宅に十分満足がいかない場合がある。特に、室内空間のイメージを規定する重要な要素として窓があり、窓の位置、大きさ、形状、デザイン等の違いにより室内空間のイメージが大きく異なるものであるが、住宅建築予定者は、住宅が実際に建つまでは室内から見た場合における窓の位置や形状、大きさが具体的にイメージできず、したがって、実際に室内で生活する場合における窓の位置や形状、大きさが、住宅建築予定者の希望するように設計してあるかどうかがわからないままに建築工事を着工してしまう場合が多い。
【０００３】
そこで、従来は住宅建築予定者はモデルハウス等の住宅展示場を見学することで、住宅の室内の具体的イメージを持つようにしている。
【０００４】
また、住宅展示場等の住宅設計に関する知識を習得する場所に住宅内の和室スペース、書斎スペース、家事スペース等の小空間を体験するための小空間体験装置を設置し、更に、住宅展示場等の住宅設計に関する知識を習得する場所に窓の大きさや家具の位置による住宅の広さの変化を体験可能な装置を設けるというものも知られている。（例えば、特許文献１）
【０００５】
【特許文献１】特開平１０−９１０５８号公報
【０００６】
【発明が解決しようとする課題】
ところが、モデルハウス等の住宅展示場は窓の位置、扉が固定的であり、したがって、従来のモデルハウス等の住宅展示場は住宅建築予定者の好みの室内を表現したものとは言えず、住宅展示場を見学しても、室内から見てどの位置にどの大きさ、形状の窓が存在し、どの地位に扉が存在するのが当該住宅建築予定者のライフスタイル、あるいは好み等に最も適しているかということが体験できないものである。
【０００７】
また、特許文献１により提案されている従来例においても、住宅展示場等の住宅設計に関する知識を習得する場所に設置される和室スペース、書斎スペース、家事スペース等の小空間を体験するための小空間体験装置としてはあるサイズの和室スペースのモデルルームを１種類、書斎スペースのモデルルームを１種類、家事スペースのモデルルームを１種類というようにモデルルームを形成し、例えば和室スペース、書斎スペース、家事スペースの他の異なるサイズのものはパネル展示するようにしたものであり、結局この従来例においてもモデルルームで体験できるのは、例えば和室スペースにおいては１種類の固定的なものしか体験できないものであり、室内から見てどの位置にどの大きさ、形状の窓が存在し、どの位置に扉が存在するのが当該住宅建築予定者のライフスタイル、あるいは好み等に一番適応しているかということを体験できないものである。
【０００８】
本発明は上記の点に鑑みてなされたものであり、簡単に室内における窓の位置、大きさ、形状、デザインを任意に変更して建築予定者に体験してもらうことができ、更に、扉の位置も任意に変更して建築予定者に体験してもらうことができ、更に、疑似体験空間の平面形状を可変して建築予定者の好みに応じた大きさの疑似体験空間として該好みの大きさの疑似体験空間における窓の位置、大きさ、形状を任意に変更して建築予定者に体験してもらったり、扉の位置を任意に変更して建築予定者に体験してもらうことができ、しかも、窓の位置変更、種類変更、扉の位置変更、疑似体験空間の大きさの変更が容易に行える住宅内の空間の疑似体験装置を提供することを課題とするものである。
【０００９】
【課題を解決するための手段】
上記課題を解決するために本発明に係る住宅内の空間の疑似体験装置は、少なくとも床１と壁２とに囲まれた疑似体験空間３と、表面が窓の外観をした複数種類の窓表示用薄板パネル４とを備え、疑似体験空間３の壁２の内面の任意の位置に任意の窓表示用薄板パネル４を着脱手段により着脱自在に取付けて成ることを特徴とするものである。このような構成とすることで、疑似体験空間３内において壁２の内面の任意の位置に任意の窓表示用薄板パネル４を取付けることにより窓位置、窓の形状や大きさやデザインが種々異なる室内空間を現出できて、どのような位置にどのような窓を配置するのが建築予定者に最も適しているかを建築予定者自身が実際に体験できるものである。
【００１０】
また、表面が扉の外観をした複数種類の扉表示用薄板パネル５を備え、疑似体験空間３の壁２の内面の任意の位置に任意の扉表示用薄板パネル５を着脱手段により着脱自在に取付けることが好ましい。このように疑似体験空間３内において壁２の内面の任意の位置に任意の扉表示用薄板パネル５を取付けることにより、室内の壁２の異なる位置に扉を配置した場合における室内空間を現出できて、どのような位置にどのような扉を配置するのが建築予定者に最も適しているかを建築予定者自身が実際に体験できるものであり、特に、この疑似体験により窓の位置と扉の位置との関係を種々選択して建築予定者に最も適した位置関係の室内空間を見出すことができるものである。
【００１１】
また、壁２の一部に１乃至複数個の出入り口用開口６を設け、この出入り口用開口６に開閉自在にドア体７を設け、ドア体７の室内側の面を壁２の内面と同じ外観とし、表面が扉の外観をした複数種類の扉表示用薄板パネル５を備え、疑似体験空間３の壁２の内面の任意の位置又はドア体７の内面に任意の扉表示用薄板パネル５を着脱手段により着脱自在に取付けることが好ましい。このような構成とすることで、疑似体験空間３に出入りするためのドア体７を設けたといえども、疑似体験空間３内においてこのドア体７の室内側の面は壁２の一部として見え、ドア体７の室内側の面を含めた壁２の任意の位置に任意の扉表示用薄板パネル５を取付けることにより、室内の壁２の異なる位置に扉を配置した場合における室内空間を現出できて、どのような位置にどのような扉を配置するのが建築予定者に最も適しているかを建築予定者自身が実際に体験できるものであり、特に、この疑似体験により窓の位置と扉の位置との関係を種々選択して建築予定者に最も適した位置関係の室内空間を見出すことができるものである。
【００１２】
また、着脱手段が磁石と磁石による吸着又は磁石と強磁性体による磁着であることが好ましい。このような構成とすることで、簡単な構成で窓表示用薄板パネル４を壁２の任意の位置に取付けることができ、着脱操作も簡単にできるものである。
【００１３】
また、壁２の一部又は全部が移動自在で疑似体験空間３の平面形状を可変自在とすることが好ましい。このような構成とすることで、疑似体験空間３を建築予定者の希望に応じて可変して構成し、このように建築予定者の希望に応じた広さの疑似体験空間３を簡単に形成して実物大の広さを確認してもらうことができるとともに、建築予定者の希望する実物大の広さの疑似体験空間３内において壁２の内面の任意の位置に任意の窓表示用薄板パネル４を取付けることにより窓位置、窓の形状や大きさが種々異なる室内空間を現出できて、どのような位置にどのような窓を配置するのが建築予定者に最も適しているかを建築予定者自身が実際に体験できるものである。
【００１４】
また、対向する壁２間に位置する壁２が対向する壁２の面方向に対して移動自在であることが好ましい。このような構成とすることで、簡単な構成で疑似体験空間３の平面形状を可変できるものである。
【００１５】
また、移動する壁２が他の壁２に対して独立して自立できるものであり、該壁２の自立装置９が壁２の外面側に設けてあることが好ましい。このような構成とすることで、他の壁２に対して独立して簡単に移動する壁２を移動して自立させることができ、しかも、自立装置９が壁２の外面側に設けてあることで、疑似体験空間３内に自立装置９が露出せず、疑似体験空間３をより実際の室内空間に近づけることができるものである。
【００１６】
【発明の実施の形態】
以下、本発明を添付図面に示す実施形態に基づいて説明する。
【００１７】
本発明の住宅内の空間の疑似体験装置Ａは、例えば、図３に示すように、住宅関連の情報を提供する住宅関連展示場Ｂ等の住宅設計に関する知識を習得する場所に設置されるものである。住宅関連展示場Ｂには住宅内の空間の疑似体験装置Ａの他に住宅関連の情報を提供する他の種々の展示・体験スペース２０、商談スペース２１、休憩スペース２２等が設けてある。
【００１８】
住宅内の空間の疑似体験装置Ａは、少なくとも床１と壁２とに囲まれた疑似体験空間３と、疑似体験空間３の壁２の内面の任意の位置に任意の大きさ又は形状の窓表示用薄板パネル４を着脱手段により着脱自在に取付けることで構成してある。なお、住宅内の空間の疑似体験装置Ａには天井２５を設けてもよいが、天井２５は必ずしもなくてもよい。
【００１９】
ここで、疑似体験装置Ａの床１としては疑似体験空間３として洋間を想定した場合にはフローリングやカーペット等の床表面材を敷設してある。また、疑似体験空間３として和室を想定した場合には畳を敷設するようにしてもよく、あるいは、フローリングやカーペット等の床表面材の上に畳表を表したシートを敷くことで洋室の床から和室の床に変更できるようにしてもよい。
【００２０】
疑似体験装置Ａの壁２の一部には出入り口用開口６を設けてあり、壁２に囲まれた疑似体験空間３内にはこの出入り口用開口６から出入りできるようにしてある。
【００２１】
窓表示用薄板パネル４は表面が室内から見た窓の外観をしたもので、図４に示すように窓表示用薄板パネル４の表面の外周端縁部に沿って木調をした窓枠を表現した窓枠表現部１０を描き、更に、窓枠表現部１０に囲まれた部分にサッシ窓を表現したサッシ窓表現部１１を描いてあり、サッシ窓表現部１１にはサッシ窓にはめ込まれたガラスを表現するガラス表現部１２が設けてあり、窓表示用薄板パネル４表面にこれらの表現部を描いたり、あるいは、印刷したり、あるいは印刷したシートを貼ったりしてある。窓表示用薄板パネル４は厚みが薄く、例えば、数ｍｍ〜十数ｍｍ程度であり、後述のように壁２の内面に重ねて取付けた際に室内に大きく突出しないようになっている。
【００２２】
このように表面側が室内から見た窓の外観となった窓表示用薄板パネル４は大きさ、形状、デザインの異なる複数種類のものを用意する。例えば、図４（ａ）はＷ（横幅）＝６００ｍｍ、Ｈ（高さ）＝７７０ｍｍの引き違いタイプの窓を表現したものであり、（ｂ）はＷ＝１５００ｍｍ、Ｈ＝７７０ｍｍの引き違いタイプの窓を表現したものであり、（ｃ）はＷ＝７５０ｍｍ、Ｈ＝１０８５ｍｍの引き違いタイプの窓を表現したものであり、（ｄ）はＷ＝６００ｍｍ、Ｈ＝１２９５ｍｍのすべり出し窓を表現したものであり、（ｅ）はＷ＝３００ｍｍ、Ｈ＝１９２５ｍｍの嵌め殺しの窓を表現したものであり、（ｆ）はＷ＝１６５０ｍｍ、Ｈ＝１９００ｍｍの掃き出し窓を表現したものである。もちろん、これのみに限定されず、他の種々の大きさ、形状、デザインの異なるものを用意する。ここで、例えば、Ｗ＝６００ｍｍ、Ｈ＝７７０ｍｍの引き違いタイプの窓を表現した窓表示用薄板パネル４の場合、横幅が６００ｍｍ、高さが７７０ｍｍの大きさとなっており、このように、上記窓表示薄板パネル４はいずれも上記したＷ、Ｈの寸法がそれぞれ正面視における実際の窓の横幅、高さと同じ寸法、つまり、実物大の寸法となるような大きさに設定してある。
【００２３】
また、本発明においては表面が扉の外観をした複数種類の扉表示用薄板パネル５を備えている。扉表示用薄板パネル５は表面が室内から見た扉の外観をしたもので、図５に示すように扉表示用薄板パネル５の表面の外周端縁部に沿って出入り口枠を表現した出入り口枠表現部１３を描き、更に、出入り口枠表現部１３に囲まれた部分に扉を表現した扉表現部１４を描いてあり、扉表示用薄板パネル５表面にこれらの表現部を描いたり、あるいは、印刷したり、あるいは印刷したシートを貼ったりしてある。この扉表示用薄板パネル５も厚みが薄く、例えば、数ｍｍ〜十数ｍｍ程度であり、後述のように壁２の内面に重ねて取付けた際に室内に大きく突出しないようになっている。
【００２４】
このように表面側が室内から見た扉の外観となった扉表示用薄板パネル５は大きさ、形状、デザインの異なる複数種類のものを用意する。例えば、図５（ａ）はＷ＝１２７０ｍｍ、Ｈ＝２４００ｍｍの洋室親子扉を表現したものであり、（ｂ）はそれぞれＷ＝８６０ｍｍ、Ｈ＝２４００ｍｍの扉を表現したものであり、（ｃ）はＷ＝１７２０ｍｍ、Ｈ＝２４００ｍｍの片引き戸を表現したものであり、（ｄ）はＷ＝６７０ｍｍ、Ｈ＝１９００ｍｍの勝手口扉を表現したものである。（ｅ）はＷ＝１２３０ｍｍ、Ｈ＝２４００ｍｍの収納扉を表現したものである。なお、図示を省略しているが本発明の扉表示用薄板パネル５には表面に襖を表現したものも含まれるものである。もちろん、これのみに限定されず、他の種々の大きさ、形状、デザインの異なるものを用意する。ここで、Ｗ＝１２７０ｍｍ、Ｈ＝２４００ｍｍの洋室親子扉を表現した扉表示用薄板パネル５の場合、横幅が１２７０ｍｍ、高さが２４００ｍｍの大きさとなっており、上記扉表示薄板パネル５はいずれも上記したＷ、Ｈの寸法がそれぞれ正面視における実際の扉の横幅、高さと同じ寸法、つまり、実物大の寸法となるような大きさに設定してある。
【００２５】
上記窓表示用薄板パネル４、扉表示用薄板パネル５はいずれも疑似体験空間３の壁２の内面の任意の位置に着脱手段により着脱自在に取付けてることができるようになっている。
【００２６】
窓表示用薄板パネル４、扉表示用薄板パネル５を壁２の内面に着脱自在に取付けるための着脱手段としては、例えば、磁石と磁石による吸着又は磁石と強磁性体による磁着を採用することができる。実施形態では、窓表示用薄板パネル４、扉表示用薄板パネル５に磁石を設け、壁２に強磁性体を設けた例である。壁２に強磁性体を設けるには、例えば、壁２の内装材として強磁性体である鉄粉を混入した材料で形成した内装材を使用することで、壁２の内面のどの位置であっても磁石を設けた窓表示用薄板パネル４や扉表示用薄板パネル５を自由に着脱自在に取付けることができるようになっている。また、他の実施形態としては壁２の内部に鉄板を埋設し、その上に内装材を積層したり、あるいは壁２の内装材自体を表面に化粧シートを貼ったり、印刷したりした鉄板により形成したりしてもよい。
【００２７】
しかして、疑似体験空間３の壁２の内面には任意の位置に上記した任意の窓表示用薄板パネル４を選択して着脱自在に取付るものである。また、疑似体験空間３の任意の位置に任意の扉表示用薄板パネル５を選択して取付けるものである。これにより壁２に囲まれた疑似体験空間３の壁２の任意の位置に任意の窓表示用薄板パネル４により表現される疑似窓、扉表示用薄板パネル５により表現される疑似扉が存在する疑似室内空間を現出することができるものであり、建築予定者はこの疑似体験空間３内に入ることで、実際の設計図に描かれている窓の大きさ、形状、デザイン、窓の位置、あるいは、扉の大きさ、形状、デザイン、扉の位置を実物とほぼ同じ状態で体験することができるものである。そして、建築予定者の意見を元に窓表示用薄板パネル４の取付け位置を変えたり、壁２に取付ける窓表示用薄板パネル４の種類（大きさ、形状、デザイン）を変えたり、扉表示用薄板パネル５の取付け位置を変えたり、壁２に取付ける扉表示用薄板パネル５のの種類（大きさ、形状、デザイン）を変えることで、窓の位置、種類、扉の位置、種類の異なる様々な室内空間を体験でき、建築予定者に最も適した窓位置、窓の種類、扉位置、扉の種類、窓位置と扉位置との相互の位置関係を他の場合と比較して体験によりに選ぶことができるものである。
【００２８】
なお、本発明の疑似体験装置Ａにおいては、上記窓表示用薄板パネル４、扉表示用薄板パネル５の他に、図６（ａ）、（ｂ）、（ｃ）、（ｄ）のようにそれぞれ表面にエアコン、換気ガラリ、配線器具、照明ブラケット等の壁付け設備、あるいは図示を省略しているが神棚等の壁付け設備の外観を表現した壁付け設備表示用薄板パネル１５を多種類用意し、必要に応じて、壁２の内面の任意の位置に任意の壁付け設備表示用薄板パネル１５を上記と同様の着脱手段により着脱自在に取付けるようにしてもよい。壁付け設備表示用薄板パネル１５の外形寸法及び形状は実物の壁付け設備の正面視における外形寸法及び形状と同じであり、厚みは数ｍｍ〜十数ｍｍである。
【００２９】
この壁付け設備表示用薄板パネル１５を壁２の任意の位置に取付けることで、表面にエアコン、換気ガラリ、配線器具、照明ブラケット、神棚等の壁付け設備を壁２のどこに取付けるのが良いかということが建築予定者に体験してもらうことができ、最も良い位置を決めることができるものである。
【００３０】
また、図示を省略しているが、表面に床の間を表現した実際の床の間と正面視が同じ外形寸法の薄板パネルを着脱自在に壁２に取付けるようにしてもよい。
【００３１】
また、本発明の疑似体験装置Ａの疑似体験空間３内には実物のシステムキッチン、あるいは実物大の模擬システムキッチン、あるいは実物の椅子、テーブル等の室内設置備品１６を設置してもよい。この場合、室内設置備品１６は簡単に移動して模様変えができるようにするのが好ましく、このため、システムキッチンに関して言えば、実物大の模擬システムキッチンが好ましく、更に、下面にキャスタを設けて容易に移動して設置位置を変更することができるようにするのが好ましい。
【００３２】
ところで、すでに述べたように疑似体験空間３に外から出入りするために壁２の一部に出入り口用開口６を設けてあるが、図１に示す実施形態のように壁２の一部に設けた出入り口用開口６に開閉自在にドア体７を設ける場合と、図７に示す実施形態のようにドア体７を設けない場合とがある。
【００３３】
そして、ドア体７を設ける場合にはドア体７の室内側の面を壁２の内面と同じ外観となるように壁２の内面と同じ内面仕上げがしてあり、このドア体７にも前述の窓表示用薄板パネル４、扉表示用薄板パネル５、壁付け設備表示用薄板パネル１５が任意に着脱自在に着脱手段により取付ることができるようになっている。つまり、ドア体７の内装材を前述の壁２の内装材と同じものとすることで、例えばドア体７の内面側に内装材として強磁性体である鉄粉を混入した材料で形成した内装材を使用することで同じ外観、同じ強磁性を有するものとすることができ、ドア体７を開いて疑似体験空間２内に出入りするのであるが、ドア体７を閉じると、ドア体７で出入り用開口６が塞がれて疑似体験空間３内においてドア体７が壁２の一部となって外観されるものである。
【００３４】
したがって、閉じた状態のドア体７をそのまま壁２の一部としてこのドア体７の内面を含む壁２の内面の任意の位置に窓表示用薄板パネル４、扉表示用薄板パネル５、壁付け設備表示用薄板パネル１５を着脱自在に取付けることができるのである。
【００３５】
本発明に用いる窓表示用薄板パネル４、扉表示用薄板パネル５、壁付け設備表示用薄板パネル１５はいずれも、薄くて軽いものであって、女性でも容易に手で持って壁２の任意の位置に着脱自在に取付けることができるようになっている。
【００３６】
疑似体験装置Ａとしては疑似体験空間３の平面形状が一定のものの場合、あるいは、疑似体験空間３の平面形状を可変自在としたものの場合のいずれであってもよいが、疑似体験空間３の平面形状を可変自在とするものにおいては、疑似体験空間３の平面形状を建築予定者が体験したい平面形状に可変してより実物に近い室内空間を現出して、好みの大きさの室内空間とした疑似体験空間３の壁２にの内面の任意の位置に窓表示用薄板パネル４、扉表示用薄板パネル５、壁付け設備表示用薄板パネル１５を着脱自在に取付けてより現実に近い状態で、窓位置、窓の種類、扉位置、扉の形状、壁付け設備の位置を選択して、建築予定者に最も適した配置にして体験してもらうことができるものである。
【００３７】
疑似体験空間３の平面形状を可変するには例えば、疑似体験空間３の周囲を囲む壁２の全部又は一部を移動自在とすることで疑似体験空間３の平面形状を可変とするものである。
【００３８】
図８、図９には疑似体験空間３の壁２の一部が移動可能な移動壁２ａ、他の一部が移動できない固定壁２ｂとなっている。例えば、図８にその一例が示してあり、図８（ａ）のような平面の疑似体験空間３において、対向する壁２ａ間に位置する移動壁２ａを移動してその位置を変えることで、図８（ａ）から図８（ｂ）、あるいは図８（ｃ）等のように移動壁２ａを移動することで疑似体験空間３の平面形状を変えることができる。また、図９に他例が示してあり、図９（ａ）のような平面の疑似体験空間３において移動壁２ａが移動壁２ａ１、２ａ２、２ａ３の場合、図９（ｂ）のように移動壁２ａ１、２ａ２、２ａ３を移動したり、あるいは図９の（ｃ）のように移動壁２ａ１、２ａ２のみを移動することで疑似体験空間３の平面形状を変えることができる。
【００３９】
ここで、移動壁２ａを移動自在として移動位置で自立できるようにする手段としては種々の方法が考えられるが、例えば、床１、天井２５にレール（図示せず）を設け、このレールに沿って移動壁２ａの上下に設けたランナ（図示せず）を走行自在とすることで移動壁２ａを移動自在としてもよく、あるいは、移動壁２ａを図１０に示すように衝立式として手で持ち運んで移動できるようにしてもよい。上記いずれの場合も移動壁２ａが他の壁２に対して独立して自立できるようになっており、これにより他の壁２に関係なく、自由に移動して自立して起立状態を保持できるものである。図１０の実施例では移動壁２ａの自立装置９は移動壁２ａの外面側に設けてあり、疑似体験空間３内に自立装置９が露出せず、疑似体験空間３をより実際の室内空間に近づけることができるようになっている。ここで、図１０のように自立装置９にキャスタ８を取付けると移動壁２ａの移動がいっそう容易である。
【００４０】
また、上記実施形態では疑似体験空間３の周囲を構成する壁２の一部が移動自在な移動壁２ａの例を示したが、壁２全体を複数の移動壁２ａにより構成すると、より多様な平面形状の疑似体験空間３に変更自在となる。
【００４１】
【発明の効果】
上記のように本発明の請求項１記載の発明にあっては、少なくとも床と壁とに囲まれた疑似体験空間と、表面が窓の外観をした複数種類の窓表示用薄板パネルとを備え、疑似体験空間の壁の内面の任意の位置に任意の窓表示用薄板パネルを着脱手段により着脱自在に取付けてあるので、疑似体験空間内において壁の内面の任意の位置に任意の窓表示用薄板パネルを取付けることにより窓位置、窓の形状や大きさやデザインが種々異なる室内空間を簡単に現出して建築予定者に体験してもらうことができ、この結果、建物の設計の段階、あるいは設計に入る前の段階でどのような位置にどのような窓を配置するのが個々の建築予定者に最も適しているかを各建築予定者自身が実際に体験し、この体験を実際の住宅の設計に反映でき、建築予定者にとってより納得のいく住宅の建築が可能となるものである。
【００４２】
また、請求項２記載の発明にあっては、上記請求項１記載の発明の効果に加えて、表面が扉の外観をした複数種類の扉表示用薄板パネルを備え、疑似体験空間の壁の内面の任意の位置に任意の扉表示用薄板パネルを着脱手段により着脱自在に取付けてあるので、疑似体験空間内において壁の内面の任意の位置に任意の扉表示用薄板パネルを取付けることにより、室内の壁の異なる位置に扉を配置した場合における室内空間を現出できて、どのような位置にどのような扉を配置するのが建築予定者に最も適しているかを建築予定者自身が実際に体験できるものであり、特に、この疑似体験により窓の位置と扉の位置との関係、種類の関係等を種々選択して各建築予定者に最も適した位置関係の室内空間を見出すことができ、この体験を実際の住宅の設計に反映でき、建築予定者にとってより納得のいく住宅の建築が可能となるものである。
【００４３】
また、請求項３記載の発明にあっては、上記請求項１記載の発明の効果に加えて、壁の一部に出入り口用開口を設け、この出入り口用開口に開閉自在にドア体を設け、ドア体の室内側の面を壁の内面と同じ外観とし、表面が扉の外観をした複数種類の扉表示用薄板パネルを備え、疑似体験空間の壁の内面の任意の位置又はドア体の内面に任意の扉表示用薄板パネルを着脱手段により着脱自在に取付けてあるので、疑似体験空間に出入りするためのドア体を設けたといえども、疑似体験空間内においてこのドア体の室内側の面は壁の一部として見え、しかも、ドア体の室内側の面を含めた壁の任意の位置に任意の扉表示用薄板パネルを取付けることができるので、実際に疑似体験空間内に出入りするためのドア体に関係なく自由にドア体の内面も含めた壁の内面の任意の位置に自由に仮想の扉位置を表現できて、室内の壁の様々な異なる位置に扉を配置した場合における室内空間を多様に現出できて、どのような位置にどのような扉を配置するのが建築予定者に最も適しているかをドア体の位置に影響されず建築予定者自身が体験できるものであり、特に、この疑似体験により窓の位置と扉の位置との関係を種々選択して建築予定者に最も適した位置関係の室内空間を見出すことができるものである。
【００４４】
また、請求項４記載の発明にあっては、上記請求項１乃至請求項３のいずれかに記載の発明の効果に加えて、着脱手段が磁石と磁石による吸着又は磁石と強磁性体による磁着であるので、磁着という簡単な構成で窓表示用薄板パネルを壁の任意の位置に取付けることができ、着脱操作も簡単にできるものである。容易に疑似体験空間内の窓位置の位置変更や種類の変更ができて、建築予定者の希望に応じた窓位置、種類の選定が容易にできるものである。
【００４５】
また、請求項５記載の発明にあっては、上記請求項１乃至請求項４のいずれかに記載の発明の効果に加えて、壁の一部又は全部が移動自在で疑似体験空間の平面形状を可変自在としてあるので、疑似体験空間を建築予定者の希望に応じて可変して構成し、このように建築予定者の希望に応じた広さの疑似体験空間を簡単に形成して実物大の広さを確認してもらうことができるとともに、建築予定者の希望する実物大の広さの疑似体験空間内において壁の内面の任意の位置に任意の窓表示用薄板パネルを取付けることにより窓位置、窓の形状や大きさが種々異なる室内空間を現出できて、目的とする平面形状の疑似体験空間においてどのような位置にどのような窓を配置するのが建築予定者に最も適しているかを建築予定者自身が実際に体験できるものである。
【００４６】
また、請求項６記載の発明にあっては、上記請求項５記載の発明の効果に加えて、対向する壁間に位置する壁が対向する壁の面方向に対して移動自在であるので、簡単な構成で疑似体験空間の平面形状を可変できるものであり、対向する壁間に位置する壁を対向する壁の面方向に対して移動させることで、例えば一例を挙げれば８畳の大きさの平面形状を６畳の大きさに変更するということが簡単にできるものである。
【００４７】
また、請求項７記載の発明にあっては、上記請求項５又は請求項６記載の発明の効果に加えて、移動する壁が他の壁に対して独立して自立できるものであり、該壁の自立装置が壁の外面側に設けてあるので、他の壁に対して独立して簡単に移動する壁を移動して自立させることができ、しかも、自立装置が壁の外面側に設けてあることで、疑似体験空間内に自立装置が露出せず、疑似体験空間をより実際の室内空間に近づけることができて、壁を移動して平面形状を可変できるよう構造のものであるにもかかわらず、建築しようとする実際の室内により近いよりリアル疑似体験空間を現出できるものである。
【図面の簡単な説明】
【図１】（ａ）は本発明の住宅内の空間の疑似体験装置の一実施形態の斜視図であり、（ｂ）は同上の平面図である。
【図２】（ａ）は同上の窓表示用薄板パネル、扉表示用薄板パネルの種類や取付け位置を変えた状態の斜視図であり、（ｂ）は同上の平面図である。
【図３】同上の住宅内の空間の疑似体験装置を住宅関連展示場に設置した例を示す平面図である。
【図４】（ａ）（ｂ）（ｃ）（ｄ）（ｅ）（ｆ）は同上に用いる窓表示用薄板パネルの各例を示す正面図である。
【図５】（ａ）（ｂ）（ｃ）（ｄ）（ｅ）は同上に用いる扉表示用薄板パネルの各例を示す正面図である。
【図６】（ａ）、（ｂ）、（ｃ）、（ｄ）は同上に用いる壁付け設備表示用パネルの各例を示す正面図である。
【図７】同上の壁の出入り口用開口にドア体を設けない場合の平面図である。
【図８】（ａ）（ｂ）（ｃ）は同上の壁を可変して疑似体験空間を種々の平面形状に可変する例の説明図である。
【図９】（ａ）（ｂ）（ｃ）は同上の壁を可変して疑似体験空間を種々の平面形状に可変する他の例の説明図である。
【図１０】同上の移動壁の断面図である。
【符号の説明】
１　床
２　壁
３　疑似体験空間
４　窓表示用薄板パネル
５　扉表示用薄板パネル
６　出入り口用開口
７　ドア体
９　自立装置
【図１】
2004109847.tif 000003
【図２】
2004109847.tif 000004
【図３】
2004109847.tif 000005
【図４】
2004109847.tif 000006
【図５】
2004109847.tif 000007
【図６】
2004109847.tif 000008
【図７】
2004109847.tif 000009
【図８】
2004109847.tif 000010
【図９】
2004109847.tif 000011
【図１０】
2004109847.tif 000012